(57)【要約】【目的】　設置工事、部品交換、メンテナンス、仕様変更等が容易な照明器具を提供する。【構成】　照明器具３０は、ランプソケット等の電気部品を収容した給電部３３と、主としてミラーやコーンなどの光学部品を収容した照明器具本体３５と、照明器具を建築物に設置するための設置フレーム１との３つのモジュールに分けられ、それらが互いに着脱自在な状態で結合される。フレーム１は、天井に開けられた孔部にはめ込まれ固定される。このフレーム１に対して、種々のタイプの照明器具本体３５を取り付けることが出来る。また、種々のタイプの照明器具本体３５と、種々のタイプの給電部３３とを選択的に組み合わせて、所望の仕様の照明器具を構成する事が出来る。照明器具の一部を別のものに取り替えたい場合、その部品のモジュールだけを取り替えれば済む。【選択図】　　　　図３
2004006398.tif 000002
【特許請求の範囲】
【請求項１】
光源ランプに給電するための電気部品から成り、前記光源ランプがセットされる給電部と、
　前記光源ランプから発射された光の配光を制御するための光学部品から成る配光部と、
　前記給電部と前記配光部とを結合・分離自在に連結するための連結機構と、
　を備え、
　前記連結機構が、前記給電部と前記配光部との間の距離を変更するための距離変更機構を含む、
　ことを特徴とする照明器具。
【請求項２】
建築部材に取付けられたチルタと、
　前記チルタに着脱自在に取付けられた、光源及び配光制御機構を含む照明器具本体と、
　を備えたことを特徴とする照明器具。
【請求項３】
照明器具をその照明方向がチルト可能な状態で建築部材に設置するためのチルタであって、
　前記照明器具を着脱自在に取り付けるための器具取付機構と、
　外部電源からの電力を前記照明器具本体に適合した形態の電力に変換するための電力変換器、を着脱自在に取り付けるための変換器取付機構と、
　を備えたことを特徴とする照明器具。
【請求項４】
所定の器具をその作用方向がチルト可能な状態で建築部材に設置するためのチルタであって、
　前記建築部材に取付けられたチルタ本体と、
　前記器具を着脱自在に取り付けるための取付機構を有し、この取付機構とは異なる箇所に設けられた回動機構を介して前記チルタ本体に結合された、前記器具を支持するための支持部材と、
　を備えたことを特徴とするチルタ。
【請求項５】
照明器具本体と、
　この照明器具本体の光射出口に着脱自在に取り付け可能な、光の射出方向又は射出量を調整するためのフロントアタッチメントと、
　を備えたことを特徴とする照明器具。
【請求項６】
照明器具の光射出口に着脱自在に取付け可能な保持枠と、
　前記保持枠に着脱自在に取付け可能な、方向可変のブレードを有する１種類以上のブレードユニットと、
　を備えたことを特徴とする、照明器具の光射出方向又は光射出量を調整するためのフロントアタッチメント。
【請求項７】
請求項６記載のフロントアタッチメントにおいて、
　前記保持枠が、
　前記光出射口を包囲するような配置をもつ複数箇所に、前記ブレードユニットを着脱自在に取り付けるためのブレード取付機構を有し、
　前記ブレードユニットが、
　前記ブレード取付機構の１つ１つに取付可能な、前記ブレードを前記光射出口の周縁に沿って配置するための第１種のブレードユニット、及び、前記ブレード取付機構のうちの所定のペアに取付可能な、前記ブレードを光射出口を横切るように配置するための第２種のブレードユニット、のうちの少なくとも１種類のユニットである、
　ことを特徴とするフロントアタッチメント。
【発明の詳細な説明】
【技術分野】
【０００１】
　本発明は、概略的には、照明器具の設置やメンテナンスを容易にするための照明器具の構造の改良に関し、より詳細には、照明器具の建築物への設置や交換やメンテナンスを容易且つ経済的にするための照明器具の構造の分離技術に関する。
【０００２】
　本発明は、ダウンライトのような埋め込み型の照明器具への適用を主たる目的とするが、照明器具以外の他の器具の建築物への設置にも応用できる汎用的なものである。
【背景技術】
【０００３】
　ダウンライトに代表される埋込み型照明器具は、一般に、その照明器具を建築物に取付固定するための固定具や、ランプ用ソケットや配線用端子台などの電気部品が、照明器具の本体に固定的に組み付けられて、互いに分離不可能な一体構造となっている。このような一体構成の従来型の埋込み型照明器具は、例えばダウンライトを例に取ると、以下のようなプロセスで建築物に設置されるのが一般的である。
【０００４】
　まず建築工事の段階で、ダウンライトを設置すべき天井の箇所にダウンライト取付け用の孔部が形成され、また、電源から各孔部へ給電線を配線する工事が行われる。この後、ダウンライトが各孔部にはめ込まれるが、その際、給電線とダウンライトとを接続する電気工事も同時に行われ、その後にダウンライトが孔部にねじ止め等適宜な締結方法が施されることによって設置工事が完了する。
【発明の開示】
【発明が解決しようとする課題】
【０００５】
　上記した従来の照明器具の設置プロセスでの一つの問題は、照明器具の取付の際に電気工事を伴う必要があることである。電気工事は専門家による施工が法律的に義務付けられることとなるので、他の者が勝手に行うことはできない。そのため、配電及び配線工事だけを電気工事技術者が行って、後の照明器具の取付には電気工事技術者が関与しないということができない。
【０００６】
　また、もう一つの問題は、照明器具の更新や設置位置の変更が容易でなく、かつ経済的でない点である。
【０００７】
　即ち、一旦設置した照明器具は、特にソケット等の電気部品に寿命があるため、その寿命が尽きれば、古い照明器具を取外して新しい照明器具と取替えなければならなくなる。さらに、照明器具の取付位置や仕様を、何年か後に建築当初のものから変更したくなった場合には、取付位置の変更工事や照明器具の取替え作業が必要となる。
【０００８】
　このような場合、従来の照明器具は全ての部品が一体的に組み付けられているため、例えばソケットだけを取り替えたい、配光の仕様だけを変更したいといった場合でも、対象部品だけを取り替えることは出来ず、照明器具全体を取り替えなければならない。そのため、ユーザにとって非経済的であると共に、古い照明器具を取り外し、新しいものを取り付けるという作業が必要であり、しかも、専門家による電気工事も伴わなくてはならない。さらに、場合によっては、施工に伴って天井面等を損傷することもあるから、内装工事のやり直しも必要となる。
【０００９】
　また、照明器具の設置位置を変更する場合は、天井面等に新たに照明器具取付固定用の孔を穿つと共に、不要となった孔部を塞ぐような補修工事が必要となる。それに加え、新たな設置位置への給電線の引回しという電気工事も必要である。
【００１０】
　このように、従来の照明器具は、その取り替えや設置位置の変更を行おうとすると、結果的に大掛かりな工事を行わなければならないこととなってしまう。
【００１１】
　こうした問題は、照明器具だけに限らず、セキュリティセンサやある種の音響機器のように建築物に取付固定されるタイプの電気器具に関しても同様に生じる。
【００１２】
　本発明は上記事情を考慮してなされたもので、その第１の目的は、照明器具に代表される建築物に取付固定される電気器具に関し、その設置工事や設置位置の変更や仕様の変更を、比較的簡単な工事で容易に行うことが出来るようにすることにある。
【００１３】
　また、本発明の第２の目的は、特に照明器具に関して、寿命部品の交換や仕様変更を照明器具全体の取替えをせずに行えるようにすることにある。
【００１４】
　さらに、本発明の第３の目的は、照明器具の構造に関して、主として仕様の自由度を高めるための新規な改良を提供することにある。
【課題を解決するための手段】
【００１５】
　上記第１の目的を達成するため、本発明は、建築部材に形成された所定形状及び所定サイズの孔部に嵌め入れるための、孔部に適合した形状及びサイズをもつ外周と所定の電気器具を収容するための空間を形成した内周とを有するフレーム本体と、電気器具をフレーム本体の内周に嵌め入れたとき、電気器具を前記フレーム本体に着脱自在な状態で固定するための器具着脱機構と、を備えた電気器具設置用フレームを提供する。
【００１６】
　また、上記第２及び第３の目的を達成するために、本発明は、以下のような種々タイプの照明器具の構造を提供する。
【００１７】
　第１のタイプの照明器具は、光源ランプに給電するための給電部と、光源ランプから発射された光の配光を制御するための光学部品から成る配光部と、給電部と配光部とを結合・分離自在に連結するための連結機構と、を備える。
【００１８】
　第２のタイプの照明器具は、光源ランプをセットするためのソケットを含むソケット部と、ソケット部と連結され、光源ランプから発射された光の配光を制御するためのミラーを含む略筒状の配光部とを備え、ミラーの先端開口部近傍の配光部の周壁に、配光部の内側空間から外側空間へ貫通するエアインテーク孔が設けられ、かつ、ソケット部が、光源ランプからの発熱を配光部の外側空間へ放つための放熱機構を有する。
【００１９】
　第３のタイプの照明器具は、建築部材に取付けられたチルタと、チルタに着脱自在に取付けられた、光源及び配光制御機構を含む照明器具本体とを備える。
【００２０】
　第４のタイプの照明器具は、照明器具本体と、この照明器具本体の光射出口に着脱自在に取り付け可能な、光の射出方向又は射出量を調整するためのフロントアタッチメントとを備える。
【００２１】
　上記の電気器具設置用フレームは、これを建築部材に形成した孔部に前もってはめ込み固定しておけば、これに種々の電気器具を着脱自在な状態で固定することができるので、種々の電気器具の設置、交換等が容易に行える。
【００２２】
　第１のタイプの照明器具は、ランプソケット等の給電部と、ミラー等の配光部とが着脱自在であるため、ソケットのような寿命部品の交換は給電部だけの交換で済み、また、配光の仕様やランプの仕様を変える場合も、配光部や給電部だけの交換で済む。
【００２３】
　第２のタイプの照明器具は、特にダウンライトなどにおいては、エアインテークを通して、配光部の内側空間から外側空間へと空気が流れるから、室内の汚れた空気は天井裏へと導かれることとなるために照明器具に汚れが付着するのが防止される。
【００２４】
　第３のタイプの照明器具は、チルタと照明器具本体とが着脱自在なため、種々のチルタと種々の照明器具本体と用意しておくことにより、両者の組み合わせのバリエーションが色々選べる。
【００２５】
　第４のタイプの照明器具は、フロントアタッチメントと照明器具本体との組み合わせのバリエーションが色々選べる。
【発明の効果】
【００２６】
　以上説明したように本発明の電気器具取付用フレームによれば、電気器具の設置工事、交換工事、取付位置の変更などが容易に行える。
【００２７】
　また、本発明の照明器具によれば、着脱自在に結合されるモジュール毎の取り替え可能であり、また、モジュール毎の仕様変更が可能であるため、たいへん便利である。
【発明を実施するための最良の形態】
【００２８】
　以下、図面により本発明の一実施例について説明する。
【００２９】
　図１は、本発明の一実施例に従う電気器具設置用フレームの構成を示した斜視図である。上記電気器具設置用フレームは、主として埋込み型照明器具、特にダウンライト用に設計されたもので図１に示すようにフレーム本体１を備え、このフレーム本体１は、複数の器具（照明器具本体のこと。以下同じ）着脱機構３、複数の固定金具取付機構５及び複数の附属回路部品取付機構７を有した構成となっている。
【００３０】
　上記構成について更に詳述すれば、フレーム本体１は円環状に形成されており、
このフレーム本体１は、その一端部（図１では、下側端部）に、外周側へ張出した所定幅のフランジ部９が形成されている。このフランジ部９は、図２に示すように、フレーム本体１の外周面が孔部２５の断面２５ａと当接したときに天井板２７の表面と当接するようになっている。上記当接により、フレーム本体１が天井板２７と密着状態で取付固定され、孔部２５の断面２５ａの露出が防止される。
【００３１】
　又、フレーム本体１は、上記一端部近傍内周側に、全周に亘って僅かに突出した段部１１が設けられている。
【００３２】
　上記段部１１は、フレーム本体１に取付固定される器具、例えば図３に示すような態様の照明器具（ダウンライトのような埋込み型照明器具）本体３０の取付位置を位置決めする機能と、フレーム本体１により画定された孔部１０を塞ぐべくフレーム本体１に取付けられる蓋体２０の取付位置を位置決めする機能とを備えている。前記複数の器具着脱機構３、複数の固定金具取付機構５及び複数の附属回路部品取付機構７は、夫々所定の間隔でフレーム本体１の内周側の適宜位置に設けられている。
【００３３】
　即ち複数の器具着脱機構３は、例えば、上記図３に示すような照明器具本体３０を着脱自在に取付けるためのもので、これら各器具着脱機構３は、フレーム本体１の内周側に付勢された弾性体からなる係止部材３ａと、この係止部材３ａの両側に設けられている一対の案内突片３ｂとを備えている。前記係止部材３ａは、断面が略「く」の字形状に形成されており、略「く」の字形状に突出した部分がフレーム本体１の内周側に臨むようにフレーム本体１にリベット等によって締結されている。前記一対の案内突片３ｂは、前掲の照明器具本体３０の取付／取外し時に照明器具本体３０を案内するためにフレーム本体１と一体的に形成されたものである。
【００３４】
　複数の固定金具取付機構５は、フレーム本体１の内周側から所定の間隔を隔ててフランジ部９とは反対側に延在せしめられた一対のラック部材５ａから成っている。これら一対のラック部材５ａは、その、フレーム本体１の外周側と対応する面に固定金具１３（後述する）を係合させるための歯列５ｂが形成されている。
【００３５】
　本実施例では図１に示すように、上記固定金具取付機構５は、互いに対向する位置（即ち、フレーム本体１の直径両端）に１個ずつ設けられている。
【００３６】
　複数の附属回路部品取付機構７は、例えば、図１に示した端子台１７を始め、光源ランプが蛍光灯のように商用電源をそのまま使用できないものに用いられる安定器１９や、トランス或いは周波数変換器（いずれも図示しない）等の電力変換回路の取付／取外しが自在な構成となっている。フレーム本体１に取付けられる照明器具が商用電源から供給される電力を電力変換せずに使用可能なものである場合は、端子台１７のみが附属回路部品取付機構７に取付けられる。
【００３７】
　又、フレーム本体１に取付けられる照明器具によっては、トランスや周波数変換器（いずれも図示しない）が上記附属回路部品取付機構７に取付けられることもある。又、これら電力変換回路の取付以外に、例えば、孔部１０を天井内で塞ぐ傘のようなもの（図示しない）を取付けることもできる。
【００３８】
　ここで、上述した端子台１７及び安定器１９について更に説明する。端子台１７の一次側は給電線（即ち、商用電源と接続されている基幹配線のこと。以下同じ）１５が取付固定される構造となっており、又その二次側は、例えば、図３に示すような照明器具３０を始めとする多様な照明器具類と接続されている配線（受電線）２２の差込みプラグ２１ａが挿脱自在なコンセントとなっている。
【００３９】
　端子台１７の二次側（コンセント）は、フレーム本体１に取付固定される照明器具が蛍光灯である場合は安定器１９が接続されている受電線２４の差込みプラグ２１ｂが接続される。
【００４０】
　上記のように、端子台１７の二次側を受電線２２（或いは２４）とねじ留めする構造とせずコンセントとした理由は、配線工事等の手間の掛かる作業を必要とすることなく単に差込みプラグ２１ａ、或いは２１ｂの前記コンセントに対する挿入／引抜きを行なうだけで前記照明器具３０を始めとする種々の電気器具の取付け／取外しが容易に行なえるようにするためである。
【００４１】
　固定金具１３は、図１及び図２に夫々示すように、主として基部１３ａを始め係合部位連繋部１３ｂ及び建築材料面当接部１３ｃ等から成っており、これら各部は、１枚の弾発力ある金属材料を屈曲、成形させることによって形成される。
【００４２】
　係合部位連繋部１３ｂは、図２に示すように、基部１３ａから所定角度で折曲げられており、係合部位連繋部１３ｂの、基部１３ａと反対側端部は、前述した固定金具取付機構５の一対のラック部材５ａに対応させて一対の係合爪１３ｄと、これら一対の係合爪１３ｄに挟まれてねじ受け部１３ｅとが形成されている。
【００４３】
　そして、このねじ受け部１３ｅの先端は、フレーム本体１の内周面端部（図１上側）と係合する凸型係合部１３ｆが、前記ねじ受け部１３ｅの先端から略Ｌ字状に突出した状態で形成されている。更に、係合部位連繋部１３ｂは、上記ねじ受け部１３ｅと対応してねじ孔が形成されている（図１及び図２参照）。
【００４４】
　建築材料面当接部１３ｃは、上記一対の係合爪１３ｄやねじ受け部１３ｅとは逆方向に所定角度で基部１３ａから所定角度で折曲げられて形成されている。建築材料面当接部１３ｃは、図２に示すようにフレーム本体１の取付固定時、建築材料２７の裏面（天井裏）と当接が可能に構成されている。
【００４５】
　一対の係合爪１３ｄは、上記フレーム本体１の建築材料２７への取付時、図２に示すような態様で夫々対応する歯列５ｂ中の適宜な歯と係合する。一方ねじ受け部１３ｅは、上記フレーム本体１の天井板２７等への取付時、図２に示すような態様で前記係合部位連繋部１３ｂに形成されているねじ孔と共にねじ２９が螺合され、ドライバ３１等によって締結固定される。
【００４６】
　上記ねじ受け部１３ｅ及び上記ねじ孔は、図２に示すように、ドライバ３１等によるねじ締結作業がし易い角度で設けられる。なお、上記ねじ２９は、必要に応じてスペーサ（図示しない）が挿入されており、このスペーサ（図示しない）は、上記ねじ２９の締め過ぎを防止するように機能する。
【００４７】
　蓋体２０は、フレーム本体１に対して着脱可能な状態で取付が行えるようにフレーム本体１と略同一形状に且つフレーム本体１の内周側と略同一大きさに形成されている。即ち、蓋体２０の外縁部には、全周に亘って円周状に僅かに突出した段部２０ａが形成されている。この段部２０ａは、蓋対２０の前記フレーム本体１への取付時、前記段部１１と当接することにより蓋体２０のフレーム本体１に対する取付位置を位置決めするように構成されている。
【００４８】
　更に、蓋体２０は、その適宜な部位に夫々図１斜め下方に付勢された一対の弾性部材２０ｂが互いに対向して取付固定されている。これら各弾性部材２０ｂは、蓋体２０の前記フレーム本体１への取付時、前記フレーム本体１の上側端部と圧接することにより前記蓋体２０を前記フレーム本体１に固定せしめるようになっている。
【００４９】
　上記構成の電気器具設置用フレームは、以下のような手順で天井板２７等室内の適宜箇所及び室外における所望の箇所に取付固定される。以下、簡単のために電気器具設置用フレームの取付位置を天井板２７のみとした場合について説明を行うこととする。
【００５０】
　電気器具設置用フレームの上記各孔部２５への取付に当たっては、まず上記各フレーム本体１の附属回路部品取付機構７に対して、端子台１７の取付けが行われれる。端子台１７の取付作業が終了すると、上記フレーム本体１が取付を行おうとする孔部２５近傍まで持上げられ、この状態で上記端子台１７の１次側に、予め天井裏等に配線されている給電線（基幹配線）１５が接続される。
【００５１】
　上記給電線１５の端子台１７に対する接続作業が終了すると、フレーム本体１の外周側が、取付けを行なおうとする孔部断面２５ａに、又、フレーム本体１のフランジ部９が、該孔部２５近傍の天井板２７の表面の部位に、夫々当接された状態で前記フレーム本体１が保持される。この状態で２個の固定金具１３の係合爪１３ｄが、対応するラック部材５ａの歯列５ｂ中の適宜な歯に夫々係合される。
【００５２】
　上記各係合爪１３ｄが係合される歯は、天井板２７の厚みに応じて決定される。これにより前記各凸型係合部１３ｆは、各固定金具１３に生じるフレーム本体１内周方向の付勢力によってフレーム本体１の内周面と圧接状態で係合され、他方各建築材料面当接部１３ｃは、各固定金具１３に生じる図２下方向の付勢力によって天井板２７の裏面と圧接せしめられる。これにより、フレーム本体１の天井板２７に対する仮留めが行われる。フレーム本体１の天井板２７に対する仮留めが行われた状態では、孔部２５の断面２５ａは、フレーム本体１により完全に覆われている。
【００５３】
　このようにしてフレーム本体１の仮留めが行われた後、前記ねじ受け部１３ｅとねじ孔とにねじ２９が図２に示したように螺合される。このねじ２９がドライバ３１等によって締結されることにより、フレーム本体１と天井板２７とが密着状態で天井板２７に対するフレーム本体１の取付固定が完了する。上記工程を経て、全ての孔部２５に対するフレーム本体１の取付固定が実行される。
【００５４】
　上記作業が終了すると、端子台１７を介して基幹配線１５に対する照明器具３０側の受電線２２（或いは２４）を接続するための作業が行われることとなる。
【００５５】
　図３に示した照明器具３０の光源ランプが蛍光灯であれば、上記照明器具３０がフレーム本体１近傍に持上げられた状態で、まず上記附属回路部品取付機構７とは別の附属回路部品取付機構７に対して安定器１９の取付作業が行われる。
【００５６】
　次いでこの安定器１９と接続されている受電線２４の差込みプラグ２１ｂを端子台１７の二次側に接続する作業が行われ、その後に、上記照明器具３０をフレーム本体１の内周側に嵌め込み固定する作業が行われることとなる。一方、上記照明器具３０中の光源ランプが安定器１９等の電力変換回路を必要としない場合は、直ちに上記端子台１７の二次側に受電線２２の差込みプラグ２１ａを接続する作業が行われ、その後に上記照明器具３０をフレーム本体１の内周側に嵌め込み固定する作業が行われることとなる。
【００５７】
　フレーム本体１に対する照明器具（ダウンライト）３０の取付固定作業は、以下のようなプロセスを経て終了する。即ち、上記照明器具３０が、上記フレーム本体１に対し該フレーム本体１の下側から挿入される。
【００５８】
　そして上記照明器具３０は、そのコーン５３（図３に示す。コーン５３については、後に詳述する）の上側段部が前記複数の器具着脱機構３から生じるフレーム本体１内周方向への付勢力により各器具着脱機構３と係合し、又、前記コーン５３先端の下側段部が前記段部１１と当接することによりフレーム本体１内において位置決め固定される。上述したプロセスを経て、照明器具３０のフレーム本体１に対する取付固定作業が完了する。上述した各フレーム本体１に対する照明器具３０の取付固定作業に要する時間は、略３０秒程度で済む。
【００５９】
　フレーム本体１に取付固定されている照明器具３０の取外し作業は、まず照明器具３０本体をフレーム本体１から下方に引出す工程を実行し、次いで端子台１７の二次側（コンセント）に挿入されている差込みプラグ２１ａ或いは差込みプラグ２１ｂを抜き取る工程とを実行するだけで行うことができる。照明器具３０本体を下方に引出す工程を実行することによって、上記複数の器具着脱機構３によるフレーム本体１方向への付勢が解除されるから照明器具３０本体のフレーム本体１からの取外しは極めて容易であり、又、上記受電線２２（或いは２４）を端子台１７の二次側から引抜くだけで上記受電線２２（或いは２４）と基幹配線１５との接続が解除できるから工具類等は一切不要である。
【００６０】
　照明器具３０本体が取付けられていない箇所は、開口したままであるので見栄えが悪いために前述した蓋体２０が取付けられる。この蓋体２０の取付は、蓋体２０をフレーム本体１の下方から蓋体２０の段部２０ａがフレーム本体１の段部１１と当接するように挿入することによって完了する。
【００６１】
　即ち、蓋体２０がフレーム本体１に取付けられることにより前述した一対の弾性部材２０ｂがそれらの付勢力によってフレーム本体１の上側端部と圧接状態となるので、これにより蓋体２０が保持されることとなる。なお、蓋体２０のフレーム本体１からの取外しは、単に蓋体２０を下方に引出すだけでよいから極めて容易に行える。
【００６２】
　以上説明したように、本発明の一実施例に従う電気器具設置用フレームによれば、電気器具設置用フレームのフレーム本体１及び端子台１７と照明器具３０本体とが別体構成となっており、しかも端子台１７の二次側は、例えば図３の照明器具３０を始めとする各種照明器具側の受電線２２（或いは２４）のプラグ２１ａ（或いは２１ｂ）が挿脱自在なコンセントとなっているので、当初取付けられた照明器具と新しい照明器具との取替え、設計時点とは異なった取付位置への照明器具の取付、設計時点とは異なった種類や仕様（例えば通常のランプ類から蛍光灯への取替え、定格電圧や定格周波数の異なった照明器具への取替え）の照明器具の取付等は極めて容易に行える。
【００６３】
　即ち、照明器具の取替えや取付位置の変更等の作業を行うに当たっては、単に端子台１７の二次側から図３の照明器具３０と接続されている受電線２２（或いは２４）の差込みプラグ２１ａ（或いは２１ｂ）を抜き取った後、照明器具３０本体をフレーム本体１から引出すだけでよい。上記作業は、給電線（基幹配線）１５の引回し工事のような専門家の施工を必要とする電気工事や不要となった孔部２５を塞いだり新たな孔部２５を穿設するような内装工事等の大掛かりな工事を必要としない。
【００６４】
　又、フレーム本体１の天井板２７への取付固定時、フレーム本体１の孔部断面２５ａ及び天井板２７表面への当接と、固定金具１３に生じるフレーム本体１内周方向への付勢力とによって、フレーム本体１は、天井板２７に対し仮留めされ、この状態でねじ２９により図２に示すように取付固定されることとなるから、フレーム本体１の天井板２７表面及び孔部断面２５ａに対する密着性（吸い付き）は極めて良好である。よって多少の振動があったとしても、上記取付固定状態に緩みが生じるおそれはない。又、孔部２５が形成されている天井板２７の厚みに多少のバラツキがあったとしても、該天井板２７の厚みに応じて各々の係合爪１３ｄが係合する歯を前記歯列５ｂ中から選択できるので、フレーム本体１の取付部位は、天井板２７の板厚の如何によって制限を受けない。
【００６５】
　又、フレーム本体１の上記天井板２７等への取付固定時、まず、前述した給電線（即ち、基幹配線）１５が上記端子台１７の一次側に固定的に接続されることとなるので、上記接続固定作業が終了した時点で端子台１７側から通電検査を実施して給電線１５側の不具合（例えば、基幹配線１５と端子台１７の一次側との接続不良、配線不良等）の有無をチェックすることができるから、給電線（基幹配線）１５の配線工事の検査効率を向上させることが可能である。又、上記通電検査終了後に、端子台１７の二次側に上記受電線２２（或いは２４）を挿入して通電検査を実施し、その結果何らかの不具合を検出したときに、上記給電線１５側の検査結果に基づいて、該不具合が上記給電線１５側に生じた不具合なのか、或いは照明器具３０等の負荷側に生じた不具合（例えば、器具接続不良等）なのかを容易に判別することができる。従って、万が一、漏電等の電気的な事故が発生した場合でも上記事故発生箇所が給電線（基幹配線）１５側なのかそれとも照明器具側なのかの識別や事故原因の把握が容易に行えるのみならず、事故対策を迅速に講ずることも可能である。
【００６６】
　又、不使用時の孔部２５については、蓋体２０によって容易に塞ぐことが可能であるので、使用しなくなった孔部２５を塞ぐための天井板２７の補修工事や給電線（基幹配線）１５の引回し工事等の大掛かりな工事を行う必要もない。
【００６７】
　又、上述した電気器具設置用フレームと略同一形状、略同一大きさの埋込み型の電気器具であれば、照明器具に限らずスピーカやビデオカメラ等のＡＶ機器、或いはセキュリティセンサ等の各種電気器具をも上記電気器具設置用フレームに対して取付けることができる。
【００６８】
　更には、上記電気器具設置用フレームは、照明器具等を保持した状態でチルトするユニバーサル型チルタヤ引出しアーム型（プルダウン型）のチルタ、プラグ型チルタ及びフランジ型チルタのような各種チルタも取付が可能である。これら各種チルタについては、後述する。
【００６９】
　本実施例では、電気器具設置用フレームを天井板２７に形成された孔部２５に取付ける場合について説明したが、上記電気器具設置用フレームは、天井板に形成された孔部以外に、壁面や床面等室内の適宜箇所に形成された孔部にも取付けが可能であるのは勿論、家具等の調度品に対しても組込むことができ、ブラケット等にも取付けが可能である。更には室内に限らず、室外の適宜箇所、例えば地面等に設置された構造物に対しても取付けが可能であり、取付箇所は限定されない。更に、上述したフレーム本体１の形状は、円環状のものに限定されるものではなく、例えば、矩形状や菱形、或いは三角形状のものであってもよい。
【００７０】
　図３及び図４は、上記電気器具設置用フレームに対し着脱自在に取付けが行える埋込み型照明器具（ダウンライト）を示す。
【００７１】
　上記照明器具３０は、受電機構３３と光学機構３５とが特別な工具等を用いることなく簡単な操作により結合／分離が自在な構成となっている。受電機構３３は、ソケットカバー３９と、このソケットカバー３９に内装される電球用ソケット４１（図４で示す）と、ソケットカバー３９を介して電球用ソケット４１と接続されているコード（受電線）２２とを備えており、これら各部２２、３９及び４１が一体化された構造となっている。
【００７２】
　一方、端子台１７や、安定器１９等の電力変換回路部品は、従来のように受電機構３３と一体構造とはせず、夫々フレーム本体１に対して着脱自在な構成とすることによって受電機構３３から離間した位置に設置することとしている。このように上記各附属回路部品を受電機構３３から離間した位置に設置することとした理由は、受電機構３３を構成する電球用ソケット４１や光源ランプ４２（或いは４４）（いずれも図４に示す）の発熱による影響から上記附属回路部品を保護することとしたためである。
【００７３】
　上記コード（受電線）２２の端部には、差込みプラグ２１ａが取付けられている。この差込みプラグ２１ａは、後述するように受電機構３３と光学機構３５とが埋込み型照明器具３０として一体化された後、前述したフレーム本体１の内周に嵌合、固定されるに先立ち、前述した端子台１７の二次側（即ち、コンセント）に挿入される。
【００７４】
　ソケットカバー３９は、図３に示すように、略円筒形状を呈するソケットカバー本体４３と、このソケットカバー本体４３と一体的に構成された略円筒形状を呈する連結部４５と、ソケットカバー本体４３の側面に全周に亘って略等間隔で形成された複数のフィン４７と、を備えている。
【００７５】
　ソケットカバー本体４３の側面からその天板部にかけての部位には、上記複数のフィン４７に加えて複数のスリット形状の放熱穴４３ａが所定の間隔で形成されており、ソケットカバー本体４３の内側天板部４３ｂは、放熱板としての機能と前記電球用ソケット４１の支持固定部材としての機能とを兼備している。内側天板部４３ｂは、各種電球用ソケット４１をねじ等を介して着脱可能に取付が行える構成となっている。
【００７６】
　上述した複数の放熱穴４３ａと複数のフィン４７とによりソケットカバー本体４３の放熱断面が充分に確保され、これによってソケットカバー本体４３の放熱効果が促進され、光源ランプの寿命の維持を図ることを可能ならしめる。なお、図３等で示した上記受電機構３３は、使用される光源ランプが電力消費量の非常に大きなものである場合に採用されるものの一例であり、受電機構は、図３に示した照明器具３０では接続される光源ランプ（例えば、蛍光灯、白熱電球、ハロゲンランプ等）の種類や消費電力の大きさ（Ｗ数）に応じて種々のものが用意される。
【００７７】
　例えば、使用される光源ランプが電力消費量の非常に大きなものであれば、上記図３において示した構成の受電機構３３が採用され、又、上記光源ランプが電力消費量の小さいものであれば、上述した受電機構３３よりも簡単な構成の受電機構（図示しない）が採用される。このように、受電機構３３は、取付けようとする光源ランプの種類や電力消費量に応じて自由に選定することができる。
【００７８】
　上記連結部４５は、その側面下方に互いに対向関係にある一対の係合突片（図示の関係で一方のみ記載）５７が設けられている。これら各係合突片５７は、夫々略半円状に形成されていて、中心にねじ等の締結部材が挿入可能なように貫通孔５７ａが設けられている。上記各係合突片５７は、電球用ソケット４１に取付けられる光源ランプが、図４右側に符号４４で示す光源ランプであってその発光中心点４４ａが受電機構３３側のミラー５１の焦点位置と略一致する場合は、受電機構取付部５５（図３に示す）に設けられている一対のストッパ５５ａと係合（図３では図示の都合により一方のみ記載）せしめられる。
【００７９】
　又、上記各係合突片５７は、電球用ソケット４１に取付けられる光源ランプが、図４左側に符号４２で示す光源ランプであってその発光中心点４２ａが受電機構３３側のミラー５１の焦点位置からずれている場合は、受電機構取付部５５（図３に示す）に設けられている、夫々切欠かれたねじ孔が形成された一対の係合突片載置部５５ｂ（図４に示す）上に載置され、ねじ等により締結固定される。上記のような態様で、受電機構３３は光学機構３５に結合され、受電機構３３が光学機構３５から離脱するのが阻止される。
【００８０】
　即ち、各係合突片５７が一対の係合突片載置部５５ｂ上に載置されている場合と一対のストッパ５５ａに係合されている場合のいずれにおいても、夫々の光源ランプの発光中心点をミラー５１の焦点位置と略一致するように設置することができる。なお、受電機構３３の光学機構３５に対する取付の態様については、後に詳述する。
【００８１】
　光学機構３５は、図３及び図５に示すように本体枠４９と、ミラー５１と、コーン５３とを備えた構成となっている。本体枠４９は、略輪状に形成された大径の基部５９と、この基部５９から略等間隔で放物線状に立上がっている４本の支持柱（図３では、３本分を記載）６１と、基部５９と略同心となるように前記各支持柱６１によって支持されている小径な略輪状の受電機構取付部５５（前掲）と、を備えている。
【００８２】
　これら各部は、例えばアルミニウムのような金属材料によって形成されており、図示のように一体となって本体枠４９を構成したスケルトン構造となっている。即ち、本体枠４９は、円形状の開口部を有し且つ断面が図４に示すように略放物線状を呈する形状のミラー５１が収容可能な空間を画成している。本体枠４９を上記のようにスケルトン構造とした理由は、本体枠４９をできるだけ軽量化するためである。又、スケルトン構造であっても、充分な衝撃強度を持ち得るようにアルミダイカストで鋳造することとした。
【００８３】
　前述した受電機構取付部５５は、上記各支持柱６１の頂部に夫々前記一対の係合突片５７を案内するための案内溝５５ｃが設けられており、これら各案内溝５５ｃは、図３上方から見ると略Ｕ字形状を呈するように形成されている。上記４個の案内溝５５ｃ中、互いに対向関係にあるいずれか一対の案内溝５５ｃは、前述した係合突片載置部５５ｂが設けられている。
【００８４】
　別の一対の案内溝５５ｃは、係合突片載置部５５ｂが設けられておらず、前記ミラー５１を収容するための収容空間に開口している。これら案内溝５５ｃによって案内された一対の係合突片５７は、受電機構３３が反時計方向に回転せしめられることにより、段差構造となっている受電機構取付部５５の内周面に沿って移動し、該内周面の適宜部位に対向して形成されている前記一対のストッパ５５ａと係合せしめられる。一対の係合突片５７が一対のストッパ５５ａと係合することにより、受電機構３３の光学機構３５に対する結合が保持される。なお、上述した受電機構取付部５５と適合する連結部を有する受電機構であれば、様々な仕様のものを上記光学機構３５に対して取付けることが可能であるから、上記光学機構３５は、これら受電機構に対する共通パーツとして使用可能である。
【００８５】
　基部５９の図３下側の端部は、略等間隔で図３上側に突設されている複数の取付接続部５３ａを介して略円筒形状のコーン５３が基部５９と一体的に取付固定されている。上記取付接続部５３ａは、コーン５３の上端部に全周に亘って形成されているフランジ部５３ｃに一体的に取付固定されている。
【００８６】
　このフランジ部５３ｃは、前記受電機構３３が結合された後の光学機構３５が前述したフレーム本体１に取付けられるに際して、前記各々の係止部材３ａと圧接することにより光学機構３５を位置決め固定する機能を有している。なお、上記フランジ部５３ｃは、回転可能な状態で上記前記各々の係止部材３ａと圧接せしめられる。一方、コーン５３の図３下側の端部は，全周に亘り所定幅でフランジ５３ｂが形成されている。
【００８７】
　このフランジ部５３ｂは、前記受電機構３３が結合された後の光学機構３５が前述したフレーム本体１に取付けられるに際して、前記段部１１と当接することにより光学機構３５を位置決め固定する機能を有している。上記内容の詳細は、既に説明した通りである。なお、フランジ部５３ｂは、回転可能な状態で上記段部１１と当接せしめられる。
【００８８】
　コーン５３と取付接続部５３ａと基部５９とによって画定される窓部６３は、
ミラー５１が前記空間内に取付固定されたときに、該ミラー５１の端面が臨まされるようになっている。上記ミラー５１の端面は、窓部６３と共にインテーク孔５１ｂを画成するものである。上記インテーク孔５１ｂは、略等間隔で複数個形成されている。
【００８９】
　これら各エアーインテーク孔５１ｂは、光学機構３５が受電機構３３とともに照明器具３０として前掲の天井板２７等に取付固定されると、殆ど目立つことがない位置に形成されている（図５参照）。各エアーインテーク孔５１ｂは、照明器具３０が図５に示すように電気器具設置用フレームを介して天井板２７に取付けられたときに、室内の空気を矢線で示すように天井板２７裏面に導く機能を有する。
【００９０】
　この機能は、これらエアーインテーク孔５１ｂ及び前記複数の放熱穴４３ａと複数のフィン４７とによる所謂煙突効果に起因するもので、この煙突効果により室内の空気が天井板２７の裏面に導かれる対流現象が促進される。
【００９１】
　ミラー５１は、光源ランプから照射された光の反射方向を決めたり配光制御を行うために設けられる部材であり、このミラー５１は、その曲面形状に応じて固有の焦点位置を有している。ミラー５１は、本体枠４９に取付固定されたときに、その大径側開口端部がコーン５３の上端部近傍にくるように大きさが設定されている。
【００９２】
　ミラー５１は、その図３上方の部位に、前記電球用ソケット４１に装着された光源ランプをミラー５１の内面側に臨ませるための貫通孔５１ａが形成されている。
【００９３】
　更に、上記コーン５３は光源ランプからの照射光の性質を制御するための透明板（ガラス板）やピンホール等の各種付属品が装着可能に構成されている。なお、上記連結部４５と上記受電機構取付部５５との双方に対して夫々結合可能な構造のアダプタ（図示しない）を備えれば、図４左側に示した光源ランプ４２よりも更に発光中心点の位置がミラー５１の焦点位置と相違している光源ランプの取付が可能となり、該光源ランプの発光中心点を前記ミラー５１の焦点位置に一致するように設置することができる。
【００９４】
　上述した照明器具３０は、以下のような手順で組付けられた後、天井板２７等室内の適宜箇所に設けられている電気器具設置用フレームに取付固定される。
【００９５】
　まず、受電機構３３の連結部４５が、光学機構３５の前述した受電機構取付部５５に結合せしめられる。このとき電球用ソケット４１に挿着された光源ランプ（既述のように発光中心点が相違する種々の光源ランプがある）が前記貫通孔５１ａを通してミラー５１内に臨まされる。
【００９６】
　上記連結部４５の上記受電機構取付部５５への結合時、前記一対の係合突片５７は、前述したミラー５１の収容空間と連通している一対の案内溝５５ｃ内に夫々嵌合せしめられる。この状態で受電機構３３が反時計方向に回転せしめられることにより、各係合突片５７は既述のような態様で前記一対のストッパ５５ａと係合せしめられ、これによって受電機構３３の光学機構３５に対する結合が保持される。
【００９７】
　上記プロセスを経て、所謂埋込み型の照明器具３０の組付け作業が完了する。組立てられた照明器具３０は、前掲の図１及び図２に係る説明において述べたような工程で、天井板２７（図１に示す）等に取付固定されている複数の電気器具設置用フレーム中、所望の位置のフレーム本体１に下側から挿入されて取付固定されることとなる。
【００９８】
　以上説明したように、上記埋込み型照明器具（ダウンライト）３０では、受電機構３３と光学機構３５は、夫々アルミニウム材料で形成され、これら受電機構３３と光学機構３５は、特別な工具等を用いることなしに簡単な操作により結合／分離が自在な構成となっており、しかも照明器具３０を取付固定するためのフレーム本体１や給電線（基幹配線）１５を接続するための端子台１７等を上記各部によって構成される照明器具３０本体とは別体構造としたので、受電機構３３のみのパーツ交換が可能であり、又、破損したり寿命が尽きたことによって廃棄された受電機構３３や光学機構３５は、アルミニウム製品として回収して再利用することが可能であり、省資源や環境保護の面でも有効である。
【００９９】
　又、従来のように故障等の不具合が生じていない光学機構３５までも故障が生じた受電機構３３と共に廃棄されることがなくなったために、ユーザ側が負担するコスト低減を図ることも可能となった。
【０１００】
　上記のように、受電機構３３と光学機構３５とが結合／分離自在となったので、
水に弱い受電機構３３を光学機構３５から取外して光学機構３５のみを清掃したり或いは水等で洗浄したりすることが可能であり、よって上記清掃や洗浄を定期的に実すれば、ミラー５１に対する塵や埃等の付着に起因してミラー反射率が低下するのを防止することも可能である。
【０１０１】
　又、既述のように受電機構３３と光学機構３５とが結合／分離自在に構成されているから、上記光学機構３５を、予め用意しておいた種々の受電機構３３に対する共通パーツとして用いることが可能である。従って、使用したい光源ランプが電力消費量の非常に大きなものであれば、前述の放熱穴４３ａやフィン４７が設けられている受電機構３３が採用され、又、上記光源ランプが電力消費量の小さいものであれば、放熱穴４３ａやフィン４７等のない受電機構が採用されることとなるので、受電機構３３は、取付けようとする光源ランプの種類や電力消費量に応じて自由に選定することができる。
【０１０２】
　又、既述のように受電機構３３と光学機構３５とが結合／分離自在に構成されているから、上記照明器具３０が天井裏の広い建築物の天井板に取付固定されている場合には、光源ランプや受電機構３３等の交換は、わざわざ照明器具３０本体をフレーム本体１から取外すことなく行うことができる。しかも上記作業は、特別な工具を必要とせずに天井側から受電機構３３をワンタッチで取外すことによって容易に行うことができる。
【０１０３】
　又、上記とは逆に受電機構３３と該受電機構３３に挿着されている光源ランプとを変更せずに光学機構３５とは別の光学機構３５、即ち、性質の異なった光や異なった配光（散光、集光等）が得られる光学機構を用いることができる。
【０１０４】
　更に、上記照明器具が図５に示すようにフレーム本体１を介して天井板２７に取付けられたときに、前述した各エアーインテーク孔５１ｂによって、室内の空気は前述したすように天井板２７裏面に導かれる対流現象が促進される。そのため、汚れを含んだ室内空気は、前記各エアーインテーク孔５１ｂから天井裏に吸込まれることとなるので、汚れが天井板２７の表面に付着することが防止できる。この効果は、空気調和装置（エアコン）等による暖冷房時のような室内空気に強い対流現象が生じている時に特に顕著である。
【０１０５】
　上記複数の放熱穴４３ａと複数のフィン４７とによって、前記ソケットカバー３９内の温度は、法規上の温度上限値である１００℃を超えないように保持されることとなる。そのため、ソケットカバー３９の電球用ソケット４１に装着されている光源ランプは、上記顕著な放熱効果によりランプ切れの早期発生を防止することができる。
【０１０６】
　図６は所謂ユニバーサル型のチルタを、図８は所謂プルダウン型のチルタを、又、図９は所謂プラグ型のチルタを、更に、図１０は所謂フランジ型のチルタを、夫々示している。上記各種のチルタの構成は、各図を比較対照すれば明らかなように夫々異なってはいるが、いずれも図７に示したような構成の照明器具類を始めとする各種電気器具を保持してチルトさせるという同一の用途に供される。これら各種チルタは、室内或いは室外の適宜な箇所に予め取付固定されており、照明器具３０は、取付けを所望する箇所に設置されているチルタに取付けられる。
【０１０７】
　図６に示したユニバーサル型チルタは、図７に示した構成の本体枠を備えた照明器具，図１及び図２に示したフレーム本体１に対し夫々着脱自在に取付けが行える構成のものである。
【０１０８】
　上記ユニバーサル型チルタは、チルタ本体７１と、このチルタ本体７１に、所定角度（例えば、４５°）で揺動可能に軸支された一対の器具保持アーム７３と、を備えた構成となっている。上記チルタ本体７１は、保持すべき器具類の形状、大きさに応じた器具類の保持収容空間を画定すると共に前掲の図１に記載されたフレーム本体１に対して取付け／取外しが自在に構成されている。
【０１０９】
　上記チルタ本体７１は、全体として図６下側端部が図６上側端部よりもやや大径な略円筒形状を呈するように形成されており、上記チルタ本体７１の図６上側端部は、保持される照明器具類が最大で４５°チルト可能に略半周分に亘って切欠かれている。上記チルタ本体７１の図６上側端部から図６下側端部までの幅は、上記チルタ本体７１が前記天井板２７に取付固定されているフレーム本体１に嵌合された状態で、保持されている照明器具が４５°チルトした場合（即ち、図６左側にチルトした場合）にも、前記孔部２５が露出しない最低限度の大きさに設定されている。又、上記チルタ本体７１の上側端部の切欠き端部は、夫々上記一対の器具保持アーム７３を揺動可能に保持する取付保持部７５が形成されている。
【０１１０】
　更に、上記チルタ本体７１の外周面下方には、下側段部７１ａが全周に亘って形成されていると共に、上記外周面上方には、上側段部７１ｂが全周に亘って形成されている。上記チルタ本体７１の前記フレーム本体１への取付時、下側段部７１ａは、前記段部１１と当接し、又、上側段部７１ｂは、前記複数の本体取付機構３の各係止部材３ａと係合することによってチルタ本体７１のフレーム本体１への取付固定がなされる。
【０１１１】
　上記各取付保持部７５は、器具保持アーム７３のアーム本体７７の厚みに対応してチルタ本体７１の外周側に突設されている。上記各取付保持部７５は、アーム本体７７を取付固定するためのねじ孔７５ａが設けられている。
【０１１２】
　上記一対の器具保持アーム７３は、上記アーム本体７７と、これらアーム本体７７に夫々設けられた器具保持部材７９と、保持されている照明器具のコーン８７上端部と当接することによって照明器具のガタツキを防止するガタツキ防止部材８１と、を備えている。上記一対のアーム本体７７は、それらの図６上方の部位に器具保持部材７９を収容するための空間部が形成されている。
【０１１３】
　これら各収容空間部は、前記チルタ本体７１の内周側に開口しており且つ上記各アーム本体７７の図６上方の部位に形成されている切欠溝７７ａと、上記チルタ本体７１の外周側に開口している小径の円形貫通孔７７ｂ等とも連通している。
【０１１４】
　上記各器具保持部材７９は、例えば、図７に示す照明器具の各係合部８３と嵌挿されることにより上記照明器具を保持するもので、各アーム本体７７の収容空間部に夫々収容されている。上記各器具保持部材７９は、上記切欠溝７７ａに臨まされている突起部７９ａと、上記円形貫通孔７７ｂ内に移動自在な状態で収容されている丸棒７９ｂ等、を備えている。上述した突起部７９ａは、各器具保持部材７９を、例えば図７に示す照明器具の係合部８３に嵌挿したり或いは嵌挿を解除するに際して、指等によって操作されるものである。
【０１１５】
　上記各丸棒７９ｂには、各器具保持部材７９をチルタ本体７１内周側に付勢するばね（図示しない）が介装されている。上述した丸棒７９ｂは、上記ばね（図示しない）の付勢力による各器具保持部材７９のチルタ本体７１内周側への移動及び上記付勢力に反した外周側への移動時に上記ばねによる各器具保持部材７９の位置ズレを上記突起部７９ａと共に防止するために設けられたものである。
【０１１６】
　上述した内容から明らかなように、図６に示した器具保持アーム７３は、アーム本体７７がチルタ本体７１に取付られている部位と、照明器具を保持する部位とが異なった位置に設定されている。
【０１１７】
　このような構成とした理由は、アーム本体７７の同一位置に、チルタ本体７１に取付られている部位と照明器具を保持する部位とを設定すると、該位置が疲労し易くなるのを始め種々の不具合が生じるのでそれを防止するためである。上記不具合については、後に詳述する。
【０１１８】
　上記ユニバーサル型チルタは、図７に示した照明器具が予め工場等において取付けられた状態で、上記フレーム本体１に取付けられることとなる。ユニバーサル型チルタに対する照明器具の取付は、単に各器具保持部材７９を上記各係合部８３に嵌挿するだけでよい。これにより、上記各ガタツキ防止部材８１が上記本体枠８５の基部８７上端部と圧接することとなり、この圧接と上記嵌挿とによって照明器具本体が器具保持アーム７３に固定される。
【０１１９】
　照明器具が取付けられたチルタ本体７１は、前記フレーム本体１の近傍で保持された状態で、受電線３７の差込みプラグ２１ａが前述した端子台１７の二次側（コンセント）に挿入される。上記挿入作業の終了後に、上記チルタ本体７１の前記フレーム本体１に対する取付作業が既述のような過程を経て行われ、フレーム本体１に対するチルタ本体７１の取付固定作業は完了する。なお、既述の内容から明らかなように、前記フレーム本体１による上記チルタ本体７１の取付固定が、上記チルタ本体７１が前記フレーム本体１に対して回転可能な状態で行われることとなるから、照明器具は、チルタ本体７１によりチルトされた状態で前記フレーム本体１に対して回転せしめられ、照射方向の変更を容易に行うことができる。
【０１２０】
　上述した過程を経て取付けられた上記ユニバーサル型チルタの上記フレーム本体１からの取外しは、上記過程と略逆の過程を経ることによって行うことができる。
【０１２１】
　以上説明したように、上記ユニバーサル型チルタによれば、工場等における照明器具の上記器具保持アーム７３への取付作業時、上記各ガタツキ防止部材８１が上記本体枠８５の基部８７上端部と圧接し、この圧接と上記器具保持部材７９の上記係合部８３への嵌挿とによって照明器具をガタツキのない状態で保持することとなるから、チルタ本体７１への照明器具類の取付固定の信頼性が大幅に向上する。又、上記取付作業は全て手作業で行うことができるから、上記作業のために工具類は一切不要であり、そのうえ、上記取付作業は極めて容易に行うことができる。
【０１２２】
　又、上記下側段部７１ａの上面と上記段部１１の下面との当接と、前記各係止部材３ａによる上記上側段部７１ｂとの係止により、フレーム本体１によるチルタ本体７１の取付固定が、上記フレーム本体１に対して回転可能な状態で行われることとなるので、保持される照明器具類や各種ＡＶ機器類等の指向方向を垂直方向だけでなく水平方向に変更することも可能である。
【０１２３】
　又、上述した器具保持アーム７３は、アーム本体７７がチルタ本体７１に取付られている部位と、照明器具を保持する部位とが異なった位置に設定されているので、アーム本体７７の同一位置に、チルタ本体７１に取付けられる部位と照明器具を保持する部位とを設定した場合と異なり、該位置が摩擦によってすり減って疲労し易くなるのを防止することができるのみならず、上記取付部の構造が複雑化することや、器具類が所望の位置に固定できなくなる等の不具合を防止することが可能である。
【０１２４】
　図８に示したプルダウン型チルタは、図７に示した構成の本体枠を備えた照明器具，図１及び図２に示したフレーム本体１に対し夫々着脱自在に取付けが行える構成のものである。
【０１２５】
　上記プルダウン型チルタは、チルタ本体８９を始め、２本の案内支柱９１、アーム支持摺動部材９３及び２本の引出しアーム９５を備えている。上記チルタ本体８９は、前記フレーム本体１に対して取付け／取外しが可能に前記フレーム本体１の内周側と略同一形状、略同一大きさに形成された略円筒形状を呈している。上記チルタ本体８９は、その外周面の図８下側端部に、下側段部８９ａが全周に亘って形成されていると共に、その外周面の図８上側端部には、上側段部８９ｂが全周に亘って形成されている。
【０１２６】
　上記チルタ本体８９の前記フレーム本体１への取付時、下側段部８９ａは、前記段部１１と当接し、又、上側段部８９ｂは、前記複数の器具着脱機構３の各係止部材３ａと係合することによってチルタ本体８９のフレーム本来１への取付固定がなされる。上記下側段部８９ａの上面と上記上側段部１１の下面との当接と、前記各係止部材３ａによる上記上側段部８９ｂとの係止とにより、フレーム本体１によるチルタ本体８９の取付固定が、上記チルタ本体８９が上記フレーム本体１に対して回転可能な状態で行われることとなる。
【０１２７】
　チルタ本体８９の図８上側端部は、上記２本の案内支柱９１が互いに対向して立設せしめられており、上記２本の案内支柱９１は、チルタ本体８９と一体的に構成されている。更に、チルタ本体８９の図８上側端部は、上記２本の引出しアーム９５が図８上下方向に往復動可能に、２段の段付切欠部８９ｃが互いに対向した状態で形成されている。図８に示したプルダウン型チルタでは、チルタ本体８９上の上記２本の案内支柱９５の立設位置と上記２個の段付切欠部８９ｃの形成位置とは、上記立設位置を結ぶ線分と上記形成位置を結ぶ線分とが直交するような配置に設定されている。
【０１２８】
　上記各案内支柱９１は、チルタ本体８９の内周側に、夫々案内軌条９１ａが互いに対向した状態で設けられており、これら各案内軌条９１ａは、各案内支柱９１に略直角に支持され、これら案内支柱９１に沿って延在している。これら各案内軌条９１ａは、それらの両面に上記各案内支柱９１に沿って夫々歯列９１ｂが形成されている。
【０１２９】
　これら歯列９１ｂには、アーム支持摺動部材９３に取付けられている一対の摺動ガイド９３ａが噛合わされている。上記各案内支柱９１の上端部は、上記一対の摺動ガイド９３ａが案内軌条９１ａから離脱するのを規制するために摺動ガイドストッパ（図示しない）が取付けられている。一方、上記各案内支柱９１の下端部は、各引出しアーム９５に保持される電気器具類のチルト動作を規制するストッパとして機能する。
【０１３０】
　アーム支持摺動部材９３は、全体として略円環形状を呈するように構成されており、前述したような態様で上記一対の摺動ガイド９３ａ及び上記２本の引出しアーム９５が一体的に取付けられている。アーム支持摺動部材９３は、上記一対の摺動ガイド９３ａ及び上記２本の引出しアーム９５の取付部位を除く領域に、略等間隔でスリット９３ｂが複数個形成されている。上記複数個のスリット９３ｂは、上記２本の引出しアーム９５に取付けられる照明器具類の放熱効果を良好に保つために設けられているものである。
【０１３１】
　上記一対の摺動ガイド９３ａは、夫々アーム支持摺動部材９３と一体的に構成されており、上記歯列９１ｂを挟持した状態で上記歯列９１ｂと噛合う噛合部材（図示しない）を備えている。上記一対の摺動ガイド９３ａの一方は、引出しアーム９５に保持された電気器具類の受電線を臨ませるために切欠きが形成されている。上記噛合部材（図示しない）と上記各摺動ガイド９３ａとの噛合により、アーム支持摺動部材９３の摺動ガイド９３ａ上での位置決めが可能となり、アーム支持摺動部材９３の滑落が防止される。
【０１３２】
　上述した２本の引出しアーム９５は、上記各案内支柱９１の立設方向とは逆方向（即ち、図８下方向）に前記アーム支持摺動部材９３から延在せしめられている。上記各引出しアーム９５は、図７に示した照明器具を始めとする各種電気器具を挟持状態で保持が可能なように、互いに対向し且つ互いが接近する方向に夫々少しだけ湾曲せしめられて形成されている。上記各引出しアーム９５は、互いに対向する側に付勢力が生ずるように弾性材料によって構成されている。
【０１３３】
　上記各引出しアーム９５は、その端部（図８下方）の互いに対向している側の部位に、夫々係合部材９７が設けられている。各係合部材９７は、例えば、図７に示した照明器具の係合部８３と係合が可能なように各係合部８３と略同一形状の突起部を備えており、各引出しアーム９５に対して正逆方向に回転可能に取付けられている。各係合部材９７は、上記突起部を挟んでその両側に指等により各係合部材９７を摘むための滑り止めが夫々形成されている。
【０１３４】
　上記各引出しアーム９５に保持された電気器具類（例えば、図７の照明器具）は、アーム支持摺動部材９３が摺動ガイドストッパ（図示しない）と当接しているときは電気器具本体が上記各案内支柱９１の下端部と接触するために殆どチルト動作が不可能である。しかしながら、上記電気器具類は、アーム支持摺動部材９３が図８下方に移動するにつれて次第にチルト動作が可能な角度が拡大する。
【０１３５】
　上記プルダウン型チルタは、図６に示したユニバーサル型チルタにおけると同様に図７に示した照明器具が予め工場等において取付けられた状態で、上記フレーム本体１に取付けられることとなる。プルダウン型チルタに対する照明器具の取付作業は、以下のような手順で行われる。即ち、まず上記各引出しアーム９５が、その先端部の間隔を拡大できる程度までチルタ本体８９から引出され、次いで上記照明器具がチルタ本体８９の近傍で保持された状態で、受電線３７をその差込みプラグ２１ａと共に前述した摺動ガイド９３ａの切欠きを通して引延ばされる。
【０１３６】
　この後、各係合部材９７が各係合部８３に位置合せされ、上記各滑り止め部分が指等により摘まれて上記間隔を拡大する方向に引張られることで、各耳部係合部材９７の各耳部８３への係合が行われ、工場等における取付作業は終了する。このようにして　照明器具が取付けられたチルタ本体８９は、前記フレーム本体１の近傍で保持された状態で、受電線３７の差込みプラグ２１ａが前述した端子台１７の二次側（コンセント）に挿入される。
【０１３７】
　上記挿入作業の終了後に、上記チルタ本体８９の前記フレーム本体１に対する取付作業が既述のような過程を経て行われ、フレーム本体１に対するチルタ本体８９の取付固定作業は完了する。上述した過程を経て取付けられた照明器具のプルダウン型チルタからの取外しは、上記過程と略逆の過程を経ることによって行うことができる。
【０１３８】
　以上説明したように、上記プルダウン型チルタによれば、工場等における照明器具の上記プルダウン型チルタへの取付作業時、引出しアーム９５を引出して受電線３７をその差込みプラグ２１ａと共に摺動ガイド９３ａの切欠きを通して引延ばし、照明器具本体の係合部８３の位置を上記各係合部材９７の位置に位置合せして各係合部材９７を指等でチルタ本体８９の外周側へ強制移動させ、この移動解除により上記各係合部材９７と各係合部８３との係合がなされ、上記照明器具は引出しアーム９５によって保持されることとなるので、上記取付作業のために工具類は一切不要であり、上記取付作業は極めて容易に行うことができる。又、上記取付作業は全て手作業で行うことができるから、上記作業のために工具類は一切不要であり、そのうえ、上記取付作業は極めて容易に行うことができる。
【０１３９】
　一方、上記照明器具のプルダウン型チルタからの取外し作業は、上記工程と略逆工程を実行するだけでよいので、上記取外しのために工具類を一切必要とせず上記取外し作業も又、極めて容易に行うことができる。
【０１４０】
　なお、上記下側段部８９ａの上面と上記段部１１の下面との当接と、前記各係止部材３ａによる上記上側段部８９ｂとの係止により、フレーム本体１によるチルタ本体８９の取付固定が、上記フレーム本体１に対して回転可能な状態で行われることとなるので、保持される照明器具類や各種ＡＶ機器類等の指向方向を垂直方向だけでなく水平方向に変更することも可能である。
【０１４１】
　図９に示したプラグ型チルタは、室内の適宜箇所（例えば、天井板等）に設けられたライティングレール（図示しない）に移動可能に支持されるもので、前掲の図７に示した照明器具類等が着脱自在に取付け可能な構成となっている。上記プラグ型チルタは、上記ライティングレールを摺動可能で且つ上記ライティングレール内の給電線（図示しない）からの給電を照明器具側に供給するためのアーム支持摺動機構９９と、照明器具類等を揺動可能に保持する略Ｕ字形状を呈するように形成されたアーム１０１と、を備えている。
【０１４２】
　アーム支持摺動機構９９は、上記ライティングレールと係合する係合部１０３と、負荷側の差込みプラグを挿入するためのコンセント１０５と、を備えている。
上記係合部１０３は、上述した給電線と電気的に接続される端子１０３ａと、この端子１０３ａを挟んで設けられた一対の摺動ガイド１０３ｂと、を備えている。
【０１４３】
　上記一対の摺動ガイド１０３ｂは、上記ライティングレールと摺動自在に係合するように構成されている。上記アーム１０１は、基部１０９と、この基部１０９から図９下方に向かって延在している２本のアーム部１０７と、を備えている。基部１０９は、図９に示すように略直線状に形成されており、その略中央の部位は、ねじ等の締結具を取付固定するための受け部が設けられている。
【０１４４】
　基部１０９は、上記受け部に取付けられる締結具により、前記アーム支持摺動機構９９に回転自在に取付固定されている。上記プラグ型チルタでは、上記基部１０９と各アーム部１０７とは、弾発力のある材料によって一体的に形成されており、各アーム部１０７は、図７の照明器具類等を挟持状態で保持が可能なように、互いに対向し且つ互いが接近する方向に夫々湾曲した状態で図９下方に延在している。
【０１４５】
　上記各アーム部１０７の一方は、該アーム部１０７に対して安定器、トランス、周波数変換器等の各種電力変換回路を着脱自在に取付固定するためのスリット１０７ａが形成されている。更に、上記各アーム部１０７は、その下端部にねじ等の締結具を取付固定するための貫通孔１０７ｂが夫々形成されており、一対の係合部材１１１は、これら各貫通孔１０７ｂに取付けられる締結具を介して各アーム部１０７の対向する側に正逆両方向に回転自在に取付固定される。
【０１４６】
　上記一対の係合部材１１１は、前掲の図８に示した各係合部材９７と略同様な構成となっている。各係合部材１１１は、例えば、図７に示した照明器具の係合部８３と係合が可能なように各係合部８３と略同一形状の突起部を備えている。
【０１４７】
　各係合部材１１１は、上記突起部を挟んでその両側に指等により各係合部材１１１を摘むための滑り止めが夫々形成されている。上記各アーム１０１に保持された照明器具類（例えば、図７に示した照明器具）は、上記照明器具本体外周部が上記各アーム１０１の内周側と当接する角度までチルト動作が可能である。
【０１４８】
　上記プラグ型チルタは、図６に示したユニバーサル型チルタや図８に示したプルダウン型チルタにおけると同様に、図７に示した照明器具が予め工場等において取付けられた状態で上記ライティングレール（図示しない）に取付けられることとなる。まず、取付対象となる照明器具類の各係合部８３が、上記プラグ型チルタの各係合部材１１１に位置合せされる。
【０１４９】
　次いで、各係合部材１１１の上記各滑り止め部分が指等により摘まれてアーム１０１の間隔を拡大する方向に引張られることで、各係合部材１１１の各係合部８３への係合が行われる。この係合により、上記照明器具は、上記各アーム１０１にチルト動作が可能な状態で保持されることとなる。その際安定器、トランス、周波数変換器等の各種電力変換回路（図示しない）が、上述したスリット１０７ａを介してアーム部１０７に取付られる。
【０１５０】
　このアーム部１０７への各種電力変換回路の取付けと並行して、上記コンセント１０５に対するプラグ（例えば、前掲の差込みプラグ２１ａ、２１ｂ）の挿入が行われる。これによって、上記プラグ型チルタに対する照明器具類の取付固定作業が完了する。これにより、上記照明器具類は、上記照明器具本体外周部が上記各アーム１０１の内周側と当接する角度までチルト動作が可能となる。このようにして照明器具や附属回路部品等が取付けられた上記プラグ型チルタが、ライティングレール（図示しない）に移動可能な状態で取付けられることとなる。
【０１５１】
　一方、照明器具の上記プラグ型チルタからの取外し作業は、まず、上記プラグ型チルタの上記ライティングレール（図示しない）からの取外しが行われた後上記プラグの引抜きと共に安定器等、附属回路部品の取外しが行われ、次いで、各係合部材１１１がアーム１０１の間隔を拡大する方向に引張られ、各係合部材１１１の各係合部８３に対する係合解除が行われることによって完了する。
【０１５２】
　以上説明したように、上記プラグ型チルタによれば、工場等における照明器具の上記プラグ型チルタへの取付作業時、取付対象となる照明器具の各係合部８３の位置を上記各係合部材１１１の位置に位置合せし、上記プラグ型チルタの各係合部材１１１をアーム１０１の間隔が拡大する方向に強制的に移動させた後、この移動を解除することで各係合部材１１１の各係合部８３への係合が行われ、この係合により上記照明器具は、上記各アーム１０１にチルト動作が可能な状態で保持されることとなるので、上記取付のために工具類は一切不要であり、上記取付作業は極めて容易に行うことができる。
【０１５３】
　一方、工場等における照明器具の上記プラグ型チルタからの取外し作業時、受電線の差込みプラグ（２１ａ、２１ｂ）を上記コンセント１０５から引抜くと共に安定器等の取外しを行った後、各係合部材１１１をアーム１０１の間隔が拡大する方向に強制的に移動させることにより照明器具類の上記プラグ型チルタからの取外しが行えるので、上記取外しのために工具類は一切不要であり、上記取外し作業も又、極めて容易に行うことができる。
【０１５４】
　なお、上記説明では、上記プラグ型チルタに取付けられる器具として、図７に示した仕様の照明器具類を挙げたが、上記プラグ型チルタは、図７に示した仕様の照明器具類に限らず、上記プラグ型チルタに適合する仕様のものであれば、スピーカ、ビデオカメラ等のＡＶ機器や、セキュリティセンサ等の電気機器類或いはミラー等のように作用方向を変更することが望まれる器具をも着脱自在に取付けが可能であり、これら各種機器類の指向方向をも所望に応じて自在に変更することも可能である。
【０１５５】
　図１０に示したフランジ型チルタは、給電線が配線されている室内の適宜箇所（例えば、天井板等）に直付けされるもので、図１０は、上記フランジ型チルタがアーム支持給電機構１１３を下側にして置いた状態を図示している。上記フランジ型チルタは、前掲の図７に示した照明器具類等が着脱自在に取付け可能な構成となっている。
【０１５６】
　上記フランジ型チルタは、室内の適宜箇所に直付けされることにより上記給電線と電気的に接続せしめられて、上記給電線（図示しない）からの給電を照明器具側に供給するためのアーム支持給電機構１１３と、照明器具類等を揺動可能に保持する略Ｕ字形状を呈するように形成されたアーム１２１と、を備えている。
【０１５７】
　アーム支持給電機構１１３は、端子台収納ケース１１９と、アーム取付支持ケース１２９と、端子台取付蓋（図示しない）と、後に詳述する端子台と、を備えた構成となっている。端子台収納ケース１１９は、略コ字状の開口部を有し、又、アーム取付支持ケース１２９は、略円形状の開口部を有しており、両ケースは、一体的に成形されている。端子台収納ケース１１９は、端子台を収納可能にその形状、容積が設定されているもので、その底部（即ち、図１０では上部の部位）に略矩形状のコンセント窓１１７が設けられている。
【０１５８】
　又、端子台収納ケース１１９は、その両側面部のアーム取付支持ケース１２９寄りの部位に、夫々ねじ等の締結具１１５を取付固定するための受け部１１９ａが形成されている。上記コンセント窓１１７は、上記端子台取付蓋に取付固定された状態で端子台収納ケース１１９に収納されている端子台の二次側、即ち、コンセント１３３が臨まされている。
【０１５９】
　上記締結具１１５は、上記端子台取付蓋を取付固定するに際して使用されるものである。他方、アーム取付支持ケース１２９は、その底部（即ち、図１０では上部の部位）の略中心にねじ等の締結具１３１を取付固定するための受け部（図示しない）が設けられている。上記締結具１３１は、アーム１２１を取付固定するに際して使用されるものである。
【０１６０】
　上記端子台取付蓋は、上記両ケース１１９、１２９の開口部（即ち、図１０裏側）を塞ぐもので、その形状は、上記両ケースの開口部と同一形状を呈するように形成されている。上記端子台取付蓋は、その端子台収納ケース１１９と対応する部位に、例えば、前掲の端子台（図１、図３で示した端子台１７）を取付固定するためのねじ孔や複数の貫通孔（いずれも図示しない）が形成されている。
【０１６１】
　又、上記端子台取付蓋は、そのアーム取付支持ケース１２９と対応する部位の略中心に、円形状の給電線通し孔（図示しない）が形成されているのを始め、上記端子台取付蓋が取付けられた後のアーム支持給電機構１１３を天井板等に取付固定するための孔（図示しない）が複数個形成されている。上記円形状の孔は、天井裏等に配線されている給電線（図示しない）を通すための通し孔であり、この通し孔を通った給電線の端部は、上記端子台取付蓋に取付けられた後の端子台の一次側に接続せしめられる。
【０１６２】
　一方、上述したアーム１２１は、基部１２５と、この基部１２５から図１０上方に向かって延在している２本のアーム部１２３と、を備えている。基部１２５は、図１０に示すように略直線状に形成されており、その略中央の部位は、ねじ等の締結具１３１を取付固定するための受け部１２５ａが設けられている。
【０１６３】
　基部１２５は、上記受け部１２５ａに取付けられる締結具１３１により、前記アーム取付支持ケース１２９に回転自在に取付固定されている。図１０に示した態様のフランジ型チルタでは、上記基部１２５と各アーム部１２３とは、弾発力のある材料によって一体的に形成されており、各アーム部１２３は、図７の照明器具類等を挟持状態で保持が可能なように、互いに対向し且つ互いが接近する方向に夫々湾曲した状態で図１０上方に延在している。
【０１６４】
　上記各アーム部１２３の一方は、該アーム部１２３に対して安定器、トランス、周波数変換器等の各種電力変換回路を着脱自在に取付固定するためのスリット１２３ａが形成されている。更に、上記各アーム部１２３は、その下端部（即ち、図１０では、上端部）に、ねじ等の締結具を取付固定するための貫通孔１２３ｂが夫々形成されており、一対の係合部材１２７は、これら各貫通孔１２３ｂに取付けられる締結具を介して各アーム部１２３の対向する側に正逆両方向に回転自在に取付固定される。
【０１６５】
　上記一対の係合部材１２７は、前掲の図８及び図９に示した各係合部材９７、１１１と略同様な構成となっている。各係合部材１２７は、例えば、図７に示した照明器具の係合部８３と係合が可能なように各係合部８３と略同一形状の突起部を備えている。
【０１６６】
　各係合部材１２７は、上記突起部を挟んでその両側に指等により各係合部材１１１を摘むための滑り止めが夫々形成されている。上記各アーム１２１に保持された照明器具類（例えば、図７に示した照明器具）は、上記照明器具本体外周部が上記各アーム１２１の内周側と当接する角度までチルト動作が可能である。
【０１６７】
　上記フランジ型チルタは、図６に示したユニバーサル型チルタ、図８に示したプルダウン型チルタ及び図９に示したプラグ型チルタにおけると同様に、図７に示した照明器具が予め工場等において取付けられた状態で天井板等室内の適宜箇所に取付固定されるものである。まず、取付対象となる照明器具類の各係合部８３が、上記フランジ型チルタの各係合部材１２７に位置合せされる。
【０１６８】
　次いで、各係合部材１２７の上記各滑り止め部分が指等により摘まれてアーム１２１の間隔を拡大する方向に引張られることで、各係合部材１２７の各係合部８３への係合が行われる。この係合により、上記照明器具は、上記各アーム１２１にチルト動作が可能な状態で保持されることとなる。その際安定器、トランス、周波数変換器等の各種電力変換回路（図示しない）が、上述したスリット１２３ａを介してアーム部１２３に取付けられる。
【０１６９】
　このアーム部１２３への各種電力変換回路の取付けと並行して、上記コンセント１３３に対するプラグ（例えば、前掲の差込みプラグ２１ａ、２１ｂ）の挿入が行われる。これによって、上記フランジ型チルタに対する照明器具類の取付固定作業が完了する。これにより、上記照明器具類は、上記照明器具本体外周部が上記各アーム１２１の内周側と当接する角度までチルト動作が可能となる。このようにして照明器具や附属回路部品等が取付けられた上記フランジ型チルタが、天井板等、室内の適宜箇所に取付固定されることとなる。
【０１７０】
　一方、照明器具の上記フランジ型チルタからの取外し作業は、まず、上記フランジ型チルタの上記天井板等からの取外しが行われた後上記プラグの引抜きと共に安定器等、附属回路部品の取外しが行われ、次いで、各係合部材１２７がアーム１２１の間隔を拡大する方向に引張られ、各係合部材１２７の各係合部８３に対する係合解除が行われることによって完了する。
【０１７１】
　以上説明したように、上記フランジ型チルタによれば、工場等における照明器具の上記フランジ型チルタへの取付作業時、取付対象となる照明器具の各係合部８３の位置を上記各係合部材１２７の位置に位置合せし、上記フランジ型チルタの各係合部材１２７をアーム１２１の間隔が拡大する方向に強制的に移動させた後、この移動を解除することで各係合部材１２７の各係合部８３への係合が行われ、この係合により上記照明器具は、上記各アーム１２１にチルト動作が可能な状態で保持されることとなるので、上記取付のために工具類は一切不要であり、上記取付作業は極めて容易に行うことができる。
【０１７２】
　一方、工場等における照明器具の上記フランジ型チルタからの取外し作業時、受電線の差込みプラグ（２１ａ、２１ｂ）を上記コンセント１３３から引抜くと共に安定器等の取外しを行った後、各係合部材１２７をアーム１２１の間隔が拡大する方向に強制的に移動させることにより照明器具類の上記フランジ型チルタからの取外しが行えるので、上記取外しのために工具類は一切不要であり、上記取外し作業も又、極めて容易に行うことができる。
【０１７３】
　なお、上記説明では、上記フランジ型チルタに取付けられる器具として、図７に示した仕様の照明器具類を挙げたが、上記フランジ型チルタは、図７に示した仕様の照明器具類に限らず、上記フランジ型チルタに適合する仕様のものであれば、スピーカ、ビデオカメラ等のＡＶ機器や、セキュリティセンサ等の電気機器類或いはミラー等の器具をも着脱自在に取付けが可能であり、これら各種機器類の指向方向をも所望に応じて自在に変更することも可能である。
【０１７４】
　図１１は、照明器具のフロントアタッチメントを示した斜視図である。図１１に示したフロントアタッチメントは、各種照明器具類の先端部（コーン）に対して取付け／取外しが可能に形成されているもので、同図は、フロントアタッチメントと、該フロントアタッチメントが取付けられる照明器具類とを、フロントアタッチメントの照明器具類への取付過程において該照明器具類の先端部方向から見たときの態様が図示されている。
【０１７５】
　上記フロントアタッチメントは、実際に各種照明器具が使用されている空間で照射対象物に対してどのような照明効果を創出するかを決定し、この決定に従って照射光量の調整等、様々な光の制御を行うために用いられる。上記フロントアタッチメントによる光の制御方法は、グレアカット、光量調整、片方向だけのグレアカット、光色調整等がある。
【０１７６】
　上記フロントアタッチメントは、フロントアタッチメントホルダ（以下、単に「ホルダ」という）１３５と、符号１３７で示す台形型のブレードを始めとする複数種類のブレード（他のブレードは図示しない）と、を備えている。上記ホルダ１３５は、例えばコーン先端部等、各種照明器具類の先端部位に対して着脱自在に取付けられるもので、上記ホルダ１３５は、全体として略円環状を呈するように形成されている。上記ホルダ１３５は、例えば、図１１で示した照明器具のコーン１４７に対して回転可能な状態で嵌合される。
【０１７７】
　上記ホルダ１３５は、その幅の略１／２（図１１では上方寄り）の部位が全周に亘って残りの略１／２の部位よりもやや厚肉に形成されており、上記厚肉部位と厚肉でない部位との境界は、上記ホルダ１３５の内周側、外周側の双方共に段部となっている。上記ホルダ１３５の内周側段部は、例えば、光学フィルタ（ガラスフィルタ）等を係合状態で保持するために形成されているものであり、内周側段部の幅は、外周側段部の幅よりもかなり広めに設定されている。
【０１７８】
　内周側段部からホルダ１３５の厚肉側端部（図１１では上側端部）にかけての部位（図１１では上側端部）は、所定の角度で傾斜せしめられている。上記ホルダ１３５は、上記傾斜部位に、略等間隔で４個の矩形状凹部１３５ａが形成されており、これら各矩形状凹部１３５ａは、レンズホルダ（図示しない）を上記ホルダ１３５に係合、保持させるためのものである。
【０１７９】
　図１１で示したホルダ１３５では、各矩形状凹部１３５ａは、以下に記載する４個の係合部材保持機構１３９等の位置と対応させて夫々設けられている。上記ホルダ１３５の外周側段部は、例えば、図１１に示したような照明器具類の先端部（コーン）に係合状態で保持されるために形成されているものである。
【０１８０】
　上記ホルダ１３５は、その厚肉部位の外周側に、略等間隔で４個の係合部材保持機構１３９が形成されており、これら各係合部材保持機構１３９は、一対の突片１３９ａから成っている。各一対の突片１３９ａは、略Ｌ字形状を呈するように形成されており、所定の間隔を置いて互いに対向した状態で上記ホルダ１３５と一体的に形成されている。上記各係合部材保持機構１３９は、台形型ブレード１３７のヒンジ係合部材１５３を始め、矩形型ブレードのヒンジ係合部材（図示しない）や図１２で示すブレード機構１４１のヒンジ係合機構１５７等が着脱自在に取付けられるように構成されている。
【０１８１】
　上記ホルダ１３５は、又、その薄肉部位の外周側に上記各係合部材保持機構１３９と夫々対応して４個の外周側ばね部材１４３が設けられている。各外周側ばね部材１４３は、断面が略「く」の字形状に形成されている。
【０１８２】
　上記各ばね部材１４３は、上記ホルダ１３５の外周側に付勢されている。これら各ばね部材１４３は、上記ホルダ１３５の照明器具１４５へ嵌合されることにより上記コーン１４７内周の下側段部１４７ｂ（図１１では、上方）と上記ホルダ１３５の外周側段部とが圧接状態となったときに、コーン１４７内周の溝部１４７ａの上側段部（図１１では、下方）と圧接状態で係合する。
【０１８３】
　上記係合と上記圧接とにより、上記ホルダ１３５の上記コーン１４７からの離脱が阻止されるようになっている。なお、上記照明器具は、従来より使用されているものであって、上述した溝部１４７ａは、上記コーン１４７の内周に全周に亘って所定幅で形成されており、又、上記下側段部１４７ｂも、上記コーン１４７の内周に上記溝部１４７ａから所定間隔を置いて全周に亘って形成されている。
【０１８４】
　更に、上記ホルダ１３５は、その薄肉部位の内周側に上記各係合保持機構１３９と夫々対応して４個の内周側ばね部材１４９が設けられている。各内周側ばね部材１４９は、断面が略「Ｖ」字形状に形成された２個のばね１４９ａが、前記各ばね部材１４３を挟むように位置決めされて設けられている。これら各ばね１４９ａは、上記ホルダ１３５の内周側に付勢されており、図示しない光学フィルタ等が上記ホルダ１３５内周に嵌合されたときに、その枠体端部等と圧接状態で係合することによって上記光学フィルタ等の離脱を阻止するようになっている。
【０１８５】
　上述した台形型ブレード１３７は、ブレード本体１５１と、前述したヒンジ係合部材１５３と、を備えている。ブレード本体１５１は、略台形状に形成されており、その上底に全長に亘って小径の軸１５１ａが設けられていると共に該軸１５１ａの略中央附近に、矩形状の孔部１５１ｂが設けられている。上記軸１５１ａと上記孔部１５１ｂとは、前述したヒンジ係合部材１５３を揺動可能に取付固定するために設けられたものである。
【０１８６】
　上記ヒンジ係合部材１５３は、断面が略「Ｊ」字形状を呈するように形成されており、その湾曲部位は、上記軸１５１ａと略半周に亘って包囲するように当接している。上記ヒンジ係合部材１５３は、上記湾曲部位を中心として短尺部と長尺部とに分かれており、短尺部には、ブレード本体１５１の揺動を規制する段部（図示しない）が設けられている。上記ヒンジ係合部材１５３は、短尺部側の略中央の部位と該部位と対向している長尺部側の部位とに、夫々貫通孔（図示しない）が形成されている。
【０１８７】
　これら貫通孔は、ねじと、ねじに螺合された介在物等の締結具１５３ａが前記軸１５１ａと当接した状態で嵌挿されている。上記締結具１５３ａによって、上記ヒンジ係合部材１５３がブレード本体１５１に対して揺動可能に取付固定されることとなる。
【０１８８】
　更に、上記ヒンジ係合部材１５３は、その長尺部側の端部に、前記各突片１３９ａと対応させて２個の切欠凹部１５３ｂが形成されていると共に、２個の切欠凹部１５３ｂによって挟まれた部位１５３ｃは、上記２個の切欠凹部１５３ｂによって夫々隔てられた部位よりもやや短めに設定されている。ヒンジ係合部材１５３の、上記２個の切欠凹部１５３ｂによって夫々隔てられた部位は、ヒンジ係合部材１５３が各係合部材保持機構１３９に対して取付られる際に、一対の突片１３９ａと係合し易いように設定されたものである。
【０１８９】
　図１２は、上述したホルダ１３５に取付けられるブレード機構１４１を示した斜視図である。上記ブレード機構１４１は、一対のブレード１５５と、一対のヒンジ係合機構１５７と、を備えた構成となっている。一対のブレード１５５は、夫々略矩形状を呈しており、その長辺の一方に、全長に亘って小径の軸１５５ａが設けられていると共に、上記軸１５５ａ近傍の両端の部位に夫々略矩形状の孔部１５５ｂが設けられている。
【０１９０】
　上記各ヒンジ係合機構１５７は、係合機構本体１５７ａと、一対の軸嵌挿部１５７ｂと、を備えている。上記係合機構本体１５７ａは、図１２の表面方向から見た側面形状が略凸字状を呈するように形成された第１の部材と、図１２の表面方向から見た形状が略矩形状を呈し且つＡ−Ａ′線で切断して得られた断面形状が略「Ｌ」字状を呈するように形成された第２の部材とが、一体的に構成された立体である。
【０１９１】
　上記第１の部材と上記第２の部材とは、図１２裏面側から見た形状が略「コ」字状を呈する空隙部１５７ｃを画定している。上記空隙部１５７ｃは、その形状、大きさが上述した各係合部材保持機構１３９の一対の突片１３９ａと夫々嵌合可能に設定されているものである。
【０１９２】
　上記各軸嵌挿部１５７ｂは、係合機構本体１５７ａの長尺方向両端部に夫々上記係合機構本体１５７ａと一体的に形成されている。各軸嵌挿部１５７ｂは、夫々図１２の表裏方向から見た形状が略「Ｕ」字状を呈するように形成されており、各軸嵌挿部１５７ｂによって画定されるＵ字状溝は、上記軸１５５ａを当接状態で収納可能に設定されている。
【０１９３】
　そして、上記各軸嵌挿部１５７ｂは、上記係合機構本体１５７ａと一体的に構成されている部位と、Ｕ字状溝を挟んで該部位と対向している端部とに、夫々ねじ孔（図示しない）が設けられている。これらねじ孔は、上記各軸嵌挿部１５７ｂの端部が上記孔部１５５ｂを貫通することによって上記各軸１５５ａがＵ字状溝に収容されたときに、ねじ等の締結具（図示しない）が螺着されるものである。
【０１９４】
　上記締結具（図示しない）は、締付けられることによって上記Ｕ字状溝の間隔をせばめ、軸１５５ａが上記Ｕ字溝から離脱するのを防止する。これによって上記ブレード本体１５５が、上記一対のヒンジ係合機構１５７に対して揺動可能に取付固定されることとなる。
【０１９５】
　上記構成のブレード機構１４１は、上記一対のヒンジ係合機構１５７が上記ホルダ１３５に取付けられることにより、上記ホルダ１３５を介して前記照明器具のバッフルに取付固定されることとなる。なお、図１１の照明器具１４５は、前掲の図７に示したような本体枠８５に耳部８３が設けられている構成の照明器具であり、この耳部８３を介して前述したユニバーサル型チルタを始め、プルダウン型チルタ、プラグ型チルタ及びフランジ型チルタ等に着脱自在に取付けられるものである。
【０１９６】
　上述したフロントアタッチメントは、次のような手順で図１１に示した照明器具１４５のコーン１４７等に取付けられ、又、取外される。まず、図１１に示した台形型ブレード１３７の前記ホルダ１３５に対する取付け／取外しについて説明する。
【０１９７】
　上記台形型ブレード１３７は、ヒンジ係合部材１５３が図１１に示すような態様で前記ホルダ１３５の係合部材保持機構１３９に嵌合される。上記嵌合に際しては、既述のように、２個の切欠凹部１５３ｂによって夫々隔てられた部位が一対の突片１３９ａと圧接状態で係合することによって、ヒンジ係合部材１５３の係合部材保持機構１３９からの離脱が防止される。上記嵌合によって、台形型ブレード１３７は、前記ホルダ１３５の厚肉部位側端部から前記ヒンジ係合部材１５３の段部までの範囲で揺動可能な状態となる。
【０１９８】
　このようにして残りの係合部材保持機構１３９に対しても夫々所望の形状のブレードが取付けられる。すべての係合部材保持機構１３９に対するブレードの取付が完了すると、上記ホルダ１３５の前記コーン１４７先端部に対する取付け作業が行われる。即ち、上記ホルダ１３５が上記照明器具１４５に嵌合されることにより、上記コーン１４７内周の下側段部１４７ｂと上記ホルダ１３５の外周側段部とが圧接状態となり且つコーン１４７内周の溝部１４７ａの上側段部と圧接状態で係合する。
【０１９９】
　上記係合と上記圧接とにより、上記ホルダ１３５の上記コーン１４７からの離脱が阻止される。一方、上記フロントアタッチメントの上記コーン１４７からの取外し作業は、上記手順と略逆の工程を実行することによって容易に行うことができる。なお、上記ルーバ１４１の、上記ホルダ１３５への取付けは、一対のヒンジ係合機構１５７を対向関係にある一対の係合部材保持機構１３９に対して夫々嵌合させることによって行われる。
【０２００】
　一方、上記ブレード機構１４１の、上記ホルダ１３５からの取外しは、一対のヒンジ係合機構１５７を対向関係にある一対の係合部材保持機構１３９から同時に取外すことによって行われる。上記ブレード機構１４１が取付けられたホルダ１３５の、上記コーン１４７先端部への取付作業／上記コーン１４７先端部からの取外し作業は、上述した台形型ブレード１３７が取付けられたホルダ１３５における取付／取外しと略同様である。
【０２０１】
　既述のように図１１で示した照明器具１４５は、各種チルタによって保持可能に構成されているから、上記フロントアタッチメントは、各種チルタによって保持されている照明器具に対しても取付／取外しが自在である。
【０２０２】
　以上説明したように、上述したフロントアタッチメントによれば、フロントアタッチメントを、照明器具１４５のコーン１４７に対して着脱自在なホルダ１３５と、このホルダ１３５に対して着脱自在な各種ブレードやブレード機構１４１と、このホルダ１３５に対して着脱自在な各種フィルタとからなる構成としたので、ホルダ１３５に対して所望のブレードを複数枚（４枚）手作業で取付固定することにより、所望に応じた配光の絞込み（配光制御）が可能なバンドアを構成することができ、上記ホルダ１３５と同一のホルダ１３５に対して前記ブレード機構１４１を手作業で取付固定すると共に１枚単位の矩形状ブレード２枚を上記ホルダ１３５に手作業で取付固定することにより、ルーバを構成することができ、又、各種フィルタ等をホルダ１３５に対して手作業で取付固定することができ、更に、上記バンドアやルーバ等が構成されたホルダ１３５をも、手作業で照明器具の先端部に取付固定することができるので、上記取付のために工具類は一切不要であり、上記取付作業は極めて容易に行うことができる。
【０２０３】
　一方、上記バンドアやルーバ等が構成されたホルダ１３５を、手作業で照明器具の先端部から取外すことができ、又、上記バンドアやルーバ等を構成しているブレードやブレード機構１４１を、手作業で上記ホルダ１３５から取外すことができるので、上記取外しのために工具類は一切不要であり、上記取外し作業も又、極めて容易に行うことができる。
【０２０４】
　又、舞台照明のライティングテクニックを応用してフロントアタッチメントを構成する各部が分離自在としたので、ユーザの所望に応じて各種ブレードやブレード機構を用いて種々のバンドアやルーバを現場で構成することができ、又、各種フィルタ類等を自由に選択して現場で用いることができ、しかも選択したこれらユニット類の取付／取外しを容易に行うことができる。即ち、従来のようにフィルタ枠、バンドア、ルーバ等照明手法毎に全てのパーツが一体化していないから、多数のフロントアタッチメントを備えておかなくても何種類かの少ないブレードやルーバを用意するだけで、レストランや一般の商店等、通常の商業空間の中でも劇場やスタジオのような専門的な照明空間におけると同様な種々のライティングデザインが容易に実現可能である。
【０２０５】
　又、ホルダ１３５に取付けるブレードのパターンは、複数個用意されているので、配光に応じて自在に選択することができ、
５つのパーツを用意しておくだけで７種類の配光パターン（光の制御方法）を実現することができる。
【０２０６】
　図１３は、図１乃至図９で示した各器具類の組合せの態様を示した系統図であり、又、図１４は、図１０乃至図１２で示したフロントアタッチメントの組合せの態様を示した系統図である。図１３及び図１４を夫々参照して明らかなように、図１乃至図９で示した各器具類の組合せ及び図１０乃至図１２で示したフロントアタッチメントの組合せには、種々のバリエーションが想定され得る。
【産業上の利用可能性】
【０２０７】
　屋内外の照明装置として利用され得る。
【図面の簡単な説明】
【０２０８】
【図１】本発明の一実施例に従う埋込み型電気器具用フレームとその附属部品とを示した全体斜視図。
【図２】天井板に取付固定された埋込み型電気器具用フレームを示す部分断面図。
【図３】図１及び図２に示した埋込み型電気器具用フレームに取付けられる照明用器具を示す斜視図。
【図４】図３に示した照明器具の部分断面図。
【図５】天井板に取付固定された照明器具に流入する空気流を示した説明図。
【図６】埋込み型電気器具用フレームに取付けられるユニバーサル型チルタを示した斜視図。
【図７】各種チルタに取付固定される照明器具本体を示した斜視図。
【図８】埋込み型電気器具用フレームに取付けられるプルダウン型チルタを示した斜視図。
【図９】ライティングレールに取付けられるプラグ型チルタを示した斜視図。
【図１０】室内適宜箇所に直付けされるフランジ型チルタを示した斜視図。
【図１１】照明器具のフロントアタッチメントを示した斜視図。
【図１２】フロントアタッチメントを構成するブレード機構を示した斜視図。
【図１３】図１乃至図９で示した各器具類の組合せの態様を示した系統図。
【図１４】図１０乃至図１２で示したフロントアタッチメントの組合せの態様を示した系統図。
【符号の説明】
【０２０９】
　１　フレーム本体
　７　回路部品取付機構
　２５　孔部
　２７　天井板
【図１】
2004006398.tif 000003
【図２】
2004006398.tif 000004
【図３】
2004006398.tif 000005
【図４】
2004006398.tif 000006
【図５】
2004006398.tif 000007
【図６】
2004006398.tif 000008
【図７】
2004006398.tif 000009
【図８】
2004006398.tif 000010
【図９】
2004006398.tif 000011
【図１０】
2004006398.tif 000012
【図１１】
2004006398.tif 000013
【図１２】
2004006398.tif 000014
【図１３】
2004006398.tif 000015
【図１４】
2004006398.tif 000016